(57)【要約】【課題】車両に搭載される緊急通報システムの作動状態を表示する表示装置に過大電圧が印加され、表示装置が緊急通報システムの作動状態を表示することができなくなることを防止する。【解決手段】表示部６００に印可される電圧が所定の電圧値を越えた場合、電圧検出部６２０におけるツェナダイオード６２１に逆電流が流れ、トランジスタ６２２がＯＮ状態になる。その結果、スイッチ部６３０におけるトランジスタ６３１がＯＦＦ状態となり、状態表示部６１０のＬＥＤ６１１に流れている電流が遮断される。また、表示部６００に印可される電圧が所定の電圧値を下回った場合、電圧検出部６２０におけるツェナダイオード６２１には逆電流が流れなくなり、トランジスタ６２２がＯＦＦ状態になる。その結果、スイッチ部６３０におけるトランジスタ６３１がＯＮ状態となり、状態表示部６１０のＬＥＤ６１１に再び電流が流れ出す。【選択図】図３
2006062567.tif 000002
【特許請求の範囲】
【請求項１】
車両に搭載される緊急通報システムを制御する制御装置から出力される電圧に基づいて、前記緊急通報システムの作動状態を表示する表示回路を備える車両搭載用の表示装置において、
前記表示装置に入力される電圧を検出する電圧検出回路と、
検出される電圧の大きさに応じて、前記表示回路に入力される電圧を制御する入力電圧制御回路と、
を備え、
前記入力電圧制御回路は、
検出される電圧が所定の閾値以下の場合は、前記表示回路へ電圧が入力されるように制御し、検出される電圧が所定の閾値以上の場合は、前記表示回路へ電圧が入力されないように制御することを特徴とする表示装置。
【請求項２】
車両に搭載される緊急通報システムを制御する制御装置から出力される電圧に基づいて、前記緊急通報システムの作動状態を表示する表示回路を備える車両搭載用の表示装置において、前記表示回路を過電圧から保護する回路保護方法であって、
前記表示装置に入力される電圧を検出する電圧検出ステップと、
検出される電圧の大きさに応じて、前記表示回路に入力される電圧を制御する入力電圧制御ステップと、
を含み、
前記入力電圧制御ステップは、
検出される電圧が所定の閾値以下の場合は、前記表示回路へ電圧が入力されるように制御し、検出される電圧が所定の閾値以上の場合は、前記表示回路へ電圧が入力されないように制御するステップであることを特徴とする回路保護方法。
【発明の詳細な説明】
【技術分野】
【０００１】
本発明は、表示装置、特に車両に搭載される緊急通報システムの作動状態を表示する表示回路を備える車両搭載用の表示装置に関する。
【背景技術】
【０００２】
従来から、例えば、特許文献１や特許文献２に開示されているとおり、車両搭乗中に交通事故や急病などの緊急事態が発生した場合、車両に搭載された携帯電話などの緊急通報手段を通じて、警察や緊急通報センタなどの緊急通報システムを管理するセンタに、現在の車両位置情報や登録車両番号などのデータを送信する緊急通報システムが知られている。
【０００３】
このようなシステムでは、一般に車両にインジケータなどの表示装置が設けられており、システムの作動状態を搭乗者が確認することができる。これにより、実際に緊急事態が発生した場合にシステムが正常に作動する状態にあるか否かを搭乗者は常に把握することができる。
【０００４】
ところで、車両に搭載される緊急通報システムの作動状態を監視するＥＣＵと、そのＥＣＵからの指令に基づき緊急通報システムの作動状態を表示する表示装置とは物理的に離れて設置される場合が多い。そのため、ＥＣＵと表示装置とを接続する車両ハーネス等の異常により表示装置に過電圧が印加され、その過電圧により表示装置を構成する回路素子が破壊され、正常にシステムの作動状態を表示できなくなる恐れがある。
【０００５】
【特許文献１】特開２０００−４８２８８号公報
【特許文献２】特開２００２−１３７６９８号公報
【特許文献３】特開２００１−９３０６４号公報
【発明の開示】
【発明が解決しようとする課題】
【０００６】
本発明は、車両に搭載される緊急通報システムを制御するＥＣＵからの指令に基づいて、緊急通報システムの作動状態を表示する表示装置に過電圧が印加されることにより、表示装置が緊急通報システムの作動状態を表示することができなくなることを防止することを目的とする。
【課題を解決するための手段】
【０００７】
本発明に係る表示装置は、車両に搭載される緊急通報システムを制御する制御装置から出力される電圧に基づいて、前記緊急通報システムの作動状態を表示する表示回路を備える車両搭載用の表示装置において、前記表示装置に入力される電圧を検出する電圧検出回路と、検出される電圧の大きさに応じて、前記表示回路に入力される電圧を制御する入力電圧制御回路と、を備え、前記入力電圧制御回路は、検出される電圧が所定の閾値以下の場合は、前記表示回路へ電圧が入力されるように制御し、検出される電圧が所定の閾値以上の場合は、前記表示回路へ電圧が入力されないように制御することを特徴とする。
【０００８】
本発明によれば、入力電圧制御回路が、電圧検出回路で検出される電圧が所定の閾値以下の場合は、表示回路へ電圧が入力されるように制御し、検出される電圧が所定の閾値以上の場合は、表示回路へ電圧が入力されないように制御する。これにより、表示回路の耐えうる電圧値以上の電圧が表示装置に入力された場合、表示回路へその電圧が入力されないため、過電圧等により表示回路が破壊されることを防止することができる。
【発明を実施するための最良の形態】
【０００９】
本発明の実施の形態（以下、実施形態とする）について、以下図面を説明する。
【００１０】
図１は、本実施形態における緊急通報システムの機能ブロックを示す図である。本実施形態における緊急通報システムは、車両に搭載され、車両の事故や故障あるいは運転中の疾病などの緊急時に、予め登録された通報先に通報を行うためのシステムである。
【００１１】
図１において、ＥＣＵ（電子制御ユニット）１００は、緊急通報システム全体を制御するユニットであり、制御部１５０と記憶部２００とを含み構成される。制御部１５０は、記憶部２００に記憶されたプログラムを読み込み実行することで、各部を制御し緊急時の通報を行う中央処理装置（ＣＰＵ）である。記憶部２００は、緊急通報システムを作動させるためのプログラムや緊急時の通報先などを記憶するモジュールである。
【００１２】
センサ部３００は、エアバックセンサや温度センサ等の各種車両状態に関する情報を取得するモジュールである。操作部４００は、搭乗者等が緊急通報システムを操作するためのユーザインタフェースモジュールである。緊急通報部５００は、センサ部３００からの各種車両状態データや操作部４００からの命令コード等に基づいてＥＣＵ１００が出力した通報命令に応じて、指定された通報先に無線通信により通報を行うモジュールである。
【００１３】
また、表示部６００は、ＥＣＵ１００から提供される指令に基づいて、緊急通報システムの作動状態を表示するモジュールである。搭乗者は、表示部６００での表示状態を確認することで、緊急通報システムが正常に作動しているか、あるいは緊急通報システムが何らかのエラーにより正常に作動していないかを容易に確認することができる。
【００１４】
ところで、緊急通報システムにおける表示部６００は、従来、図２に示すような回路構成であった。つまり、ＥＣＵ１００から出力される電圧（５Ｖ）をＴ点を介してＬＥＤ６１１に印加することで、ＬＥＤ６１１を発光させ、緊急通報システムの作動状態を表示していた。さらに、過電圧や過電流からＬＥＤ６１１を保護するために、従来の表示部６００は、ＬＥＤ６１１の他に、ＬＥＤ６１１に流す電流を制限する抵抗６１２と、静電気放電（ＥＳＤ）に代表される過電圧や過電流から回路を保護するサージ保護素子６１３とを含み構成されていた。
【００１５】
ただ、一般にＥＣＵ１００と表示部６００とは車両ハーネス等により接続され、物理的に離れた位置に設置される。したがって、車両ハーネスの噛み込みやコネクタ部等のショートにより、表示部６００において想定している電圧よりも大きい過電圧が印加され、抵抗６１２やサージ保護素子６１３だけではＬＥＤ６１１を保護することができず、ＬＥＤ６１１が破壊されてしまう恐れがある。この場合、搭乗者は、表示部６００での表示状態を確認することにより、緊急通報システムが正常に作動しているか、あるいは緊急通報システムが何らかのエラーにより正常に作動していないかを即座に確認することができなくなる。
【００１６】
そこで、本実施形態では、表示部６００を図３に示すような回路構成にすることで、車両ハーネスの噛み込みやコネクタ部等のショートにより、表示部６００において想定していた電圧よりも大きい過電圧が印加されたとしても、ＬＥＤ６１１が破壊されることを防止する。
【００１７】
ここで、本実施形態における表示部６００についてさらに図３を用いて説明する。
【００１８】
表示部６００は、緊急通報システムの作動状態を表示する状態表示部６１０と、表示部６００に印可される電圧を検出する電圧検出部６２０と、検出された印可電圧に応じて状態表示部６１０の作動のＯＮ／ＯＦＦの切替を行うスイッチ部６３０とを含み構成される。
【００１９】
このように構成された表示部６００によれば、電圧検出部６２０で検出される印可電圧に応じて、スイッチ部６３０が状態表示部６１０の作動のＯＮ／ＯＦＦを行う。これにより、状態表示部６１０を構成する回路群が耐えうる所定の電圧値を越えた場合に、スイッチ部６３０が状態表示部６１０の作動をＯＦＦすることができ、車両ハーネスの噛み込みやコネクタ部等のショートにより生じる過電圧から、状態表示部６１０を構成する回路群を保護することができる。また、スイッチ部６３０で状態表示部６１０の作動をＯＦＦした後に、表示部６００に印可される電圧の大きさが所定の電圧値を下回った場合には、再度スイッチ部６３０が状態表示部６１０の作動をＯＮに切り替える。よって、本実施形態によれば、一時的な過電圧で状態表示部６１０の作動がＯＦＦされた場合には、即座に状態表示部６１０の作動が再びＯＮされるため、状態表示部６１０で緊急通報システムの作動状態が表示できないことによる不都合を最小限に抑えることができる。
【００２０】
さらに、状態表示部６１０を構成する回路群を保護するために、単にヒューズなどを用いて構成した場合には、一度過電圧が生じると、状態表示部６１０を構成する回路群を保護することはできるが、再度状態表示部６１０を作動させるためには、ヒューズを交換するなどの手間がかかる。しかし、本実施形態によれば、過電圧が表示部６００に印可されなくなれば、状態表示部６１０の作動が再びＯＮされるため、ヒューズの交換等の手間を省くことができる。
【００２１】
ここで、電圧検出部６２０とスイッチ部６３０の回路構成についてさらに詳しく説明する。
【００２２】
電圧検出部６２０は、状態表示部６１０を構成する回路群が耐えうる所定の電圧値をツェナ電圧とするツェナダイオード６２１と表示部６００に印可される電圧の大きさに応じてＯＮ／ＯＦＦの切り換えを行うトランジスタ６２２とを含み構成される。図３に示すとおり、ツェナダイオード６２１のカソード側は、ＥＣＵ１００からの電圧の入力を受け付ける電圧入力側（Ｔ点）に接続され、ツェナダイオード６２１のアノード側は、抵抗６２３を介して接地接続される。さらに、ツェナダイオード６２１のアノード側には、トランジスタ６２２のベースが接続され、トランジスタ６２２のエミッタは接地接続される。このように構成することで、ツェナ電圧を超える電圧が表示部６００に印可されると、ツェナダイオード６２１に逆電流が流れ、トランジスタ６２２がＯＮ状態となる。
【００２３】
一方、スイッチ部６３０にもトランジスタ６３１が設けられる。トランジスタ６３１のベースは、抵抗６３２を介して電圧入力側（Ｔ点）に接続され、抵抗６３３を介して接地接続される。さらにトランジスタ６３１のベースは、トランジスタ６２２のコレクタとも接続される。また、トランジスタ６３１のコレクタは、ＬＥＤ６１１と接続され、トランジスタ６３１のエミッタは接地接続される。このように構成することで、表示部６００に印可される電圧が所定の電圧値を越えていない場合、つまり、ツェナダイオード６２１に逆電流が流れておらずトランジスタ６２２がＯＦＦ状態の場合に、トランジスタ６３１がＯＮ状態となり、状態表示部６１０のＬＥＤ６１１に電流が流れる。
【００２４】
電圧検出部６２０とスイッチ部６３０とをこのように構成することで、表示部６００に印可される電圧が所定の電圧値を越えた場合、電圧検出部６２０におけるツェナダイオード６２１に逆電流が流れ、トランジスタ６２２がＯＮ状態になる。その結果、スイッチ部６３０におけるトランジスタ６３１がＯＦＦ状態となり、状態表示部６１０のＬＥＤ６１１に流れている電流が遮断される。よって、表示部６００に印可される電圧が所定の電圧値を越えた場合には、状態表示部６１０を構成するＬＥＤ６１１や抵抗６１２には過電圧による過電流が流れることを防ぐことができ、各素子の破壊を回避することができる。
【００２５】
加えて、トランジスタ６３１がＯＦＦ状態となり、状態表示部６１０のＬＥＤ６１１に流れている電流が遮断された後、表示部６００に印可される電圧が所定の電圧値を下回った場合、電圧検出部６２０におけるツェナダイオード６２１には逆電流が流れなくなり、トランジスタ６２２がＯＦＦ状態になる。その結果、スイッチ部６３０におけるトランジスタ６３１がＯＮ状態となり、状態表示部６１０のＬＥＤ６１１に再び電流が流れ出す。よって、一時的な過電圧で状態表示部６１０の作動がＯＦＦされた場合には、即座に状態表示部６１０の作動が再びＯＮされるため、状態表示部６１０で緊急通報システムの作動状態が表示できないことによる不都合を最小限に抑えることができる。
【００２６】
なお、本実施形態では、スイッチング素子として、バイポーラトランジスタ（トランジスタ６２２，６３１）を用いたが、他のスイッチング素子例えば、電界効果トランジスタ（ＦＥＴ）などを用いてもよい。また、本実施形態では、表示部６００の作動切替の閾値として電圧値を用いたが、表示部６００に入力される電流値を閾値として表示部６００の作動切替を行ってもよい。さらに、状態表示部６１０にＬＥＤ６１１を用いたが、ランプ等、他の表示素子を用いてもよい。加えて、電圧検出部６２０には、ツェナダイオード６２１を用いなくても、抵抗分割により、トランジスタ６３１のＯＮ／ＯＦＦを調整してもよい。
【図面の簡単な説明】
【００２７】
【図１】本実施形態における緊急通報システムの機能ブロックを示す図である。
【図２】従来の緊急通報システムにおいて、作動状態を表示する表示部の回路構成を示す図である。
【図３】本実施形態の緊急通報システムにおいて、作動状態を表示する表示部の回路構成を示す図である。
【符号の説明】
【００２８】
１５０  制御部、２００  記憶部、３００  センサ部、４００  操作部、５００  緊急通報部、６００  表示部、６１０  状態表示部、６１１  ＬＥＤ、６１２，６２３，６２４，６３２，６３３  抵抗、６１３  サージ保護素子、６２０  電圧検出部、６２１  ツェナダイオード、６２２，６３１  トランジスタ、６３０  スイッチ部。
【図１】
2006062567.tif 000003
【図２】
2006062567.tif 000004
【図３】
2006062567.tif 000005